(57)【要約】      （修正有）【課題】セルラ基地局からアクセスポイントへのユーザ端末の円滑なオフロードを実現可能とする。【解決手段】セルラ基地局は、自セルラ基地局とＲＲＣ（Ｒａｄｉｏ  Ｒｅｓｏｕｒｃｅ  Ｃｏｎｔｒｏｌ）接続を維持しているユーザ端末にＷＬＡＮ（Ｗｉｒｅｌｅｓｓ  Ｌｏｃａｌ  Ａｒｅａ  Ｎｅｔｗｏｒｋ）への接続を行わせる制御を行う制御部を備え、ＷＬＡＮ  ＭＡＣ（Ｍｅｄｉａ  Ａｃｃｅｓｓ  Ｃｏｎｔｒｏｌ）アドレスを含む情報を送信させるための要求をユーザ端末に送信する。要求の送信に応じて、ユーザ端末のＷＬＡＮ  ＭＡＣアドレスをユーザ端末から受信し、ＷＬＡＮ  ＭＡＣアドレスを、自セルラ基地局からＷＬＡＮに含まれるＷＬＡＮ装置に送信する。ＷＬＡＮにおけるユーザ端末の認証のためのＷＬＡＮ認証キーを、自セルラ基地局からＷＬＡＮ装置に送信する。【選択図】図９
2017139778.tif 000002
【特許請求の範囲】
【請求項１】
自セルラ基地局とのＲＲＣ（Ｒａｄｉｏ  Ｒｅｓｏｕｒｃｅ  Ｃｏｎｔｒｏｌ）接続を維持しているユーザ端末にＷＬＡＮ（Ｗｉｒｅｌｅｓｓ  Ｌｏｃａｌ  Ａｒｅａ  Ｎｅｔｗｏｒｋ）への接続を行わせる制御を行う制御部を備え、
前記制御部は、
ＷＬＡＮ  ＭＡＣ（Ｍｅｄｉａ  Ａｃｃｅｓｓ  Ｃｏｎｔｒｏｌ）アドレスを含む情報を送信させるための要求を前記ユーザ端末に送信し、
前記要求の送信に応じて、前記ユーザ端末のＷＬＡＮ  ＭＡＣアドレスを前記ユーザ端末から受信し、
前記ＷＬＡＮ  ＭＡＣアドレスを、自セルラ基地局から前記ＷＬＡＮに含まれるＷＬＡＮ装置に送信し、
前記ＷＬＡＮにおける前記ユーザ端末の認証のためのＷＬＡＮ認証キーを、自セルラ基地局から前記ＷＬＡＮ装置に送信する
セルラ基地局。
【請求項２】
前記制御部は、
前記ＷＬＡＮに含まれるＷＬＡＮアクセスポイントの識別子を送信し、
前記ユーザ端末に前記識別子に対応する前記ＷＬＡＮアクセスポイントに対してＷＬＡＮ接続を行わせる
請求項１に記載のセルラ基地局。
【請求項３】
前記制御部は、
前記ユーザ端末に未送信のデータを、前記ＷＬＡＮ装置に送信する
請求項１に記載のセルラ基地局。
【請求項４】
前記制御部は、
前記ＷＬＡＮ  ＭＡＣアドレスと前記ＷＬＡＮ認証キーとを一緒に前記ＷＬＡＮ装置に送信する
請求項１に記載のセルラ基地局。
【請求項５】
セルラ基地局に備えられるプロセッサであって、
前記セルラ基地局とのＲＲＣ（Ｒａｄｉｏ  Ｒｅｓｏｕｒｃｅ  Ｃｏｎｔｒｏｌ）接続を維持しているユーザ端末にＷＬＡＮ（Ｗｉｒｅｌｅｓｓ  Ｌｏｃａｌ  Ａｒｅａ  Ｎｅｔｗｏｒｋ）への接続を行わせる処理と、
ＷＬＡＮ  ＭＡＣ（Ｍｅｄｉａ  Ａｃｃｅｓｓ  Ｃｏｎｔｒｏｌ）アドレスを含む情報を送信させるための要求を前記ユーザ端末に送信する処理と、
前記要求の送信に応じて、前記ユーザ端末のＷＬＡＮ  ＭＡＣアドレスを前記ユーザ端末から受信する処理と、
前記ＷＬＡＮ  ＭＡＣアドレスを、前記セルラ基地局から前記ＷＬＡＮに含まれるＷＬＡＮ装置に送信する処理と、
前記ＷＬＡＮ装置による前記ユーザ端末の認証のためのＷＬＡＮ認証キーを、前記セルラ基地局から前記ＷＬＡＮ装置に送信する処理と、を実行する
プロセッサ。
【発明の詳細な説明】
【技術分野】
【０００１】
本発明は、セルラ通信システムを無線ＬＡＮシステムと連携させるためのセルラ基地局及びプロセッサに関する。
【背景技術】
【０００２】
近年、セルラ送受信機及び無線ＬＡＮ送受信機を有するユーザ端末（いわゆる、デュアル端末）の普及が進んでいる。また、セルラ通信システムのオペレータにより管理される無線ＬＡＮアクセスポイント（以下、単に「アクセスポイント」という）が増加している。
【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムと無線ＬＡＮシステムとの連携を強化できる技術が検討される予定である（非特許文献１参照）。
【０００４】
例えば、ユーザ端末とセルラ基地局との間で送受信されるトラフィックを無線ＬＡＮシステムに移行（すなわち、オフロード）させて、セルラ基地局のトラフィック負荷を無線ＬＡＮシステムに分散させる方法が考えられる。
【先行技術文献】
【非特許文献】
【０００５】
【非特許文献１】３ＧＰＰ寄書  ＲＰ−１２０１４５５
【発明の概要】
【０００６】
しかしながら、現状では、上述したオフロードに係るユーザ端末とアクセスポイントとの接続を制御するための認証（無線認証及びネットワーク認証）の仕組みが存在しないので、円滑なオフロードを実現することが困難であった。
【０００７】
そこで、本発明は、セルラ基地局からアクセスポイントへの円滑なオフロードを実現可能とする通信制御方法、ユーザ端末、セルラ基地局、及びアクセスポイントを提供する。
【０００８】
第１の特徴に係るセルラ基地局は、自セルラ基地局とのＲＲＣ（Ｒａｄｉｏ  Ｒｅｓｏｕｒｃｅ  Ｃｏｎｔｒｏｌ）接続を維持しているユーザ端末にＷＬＡＮ（Ｗｉｒｅｌｅｓｓ  Ｌｏｃａｌ  Ａｒｅａ  Ｎｅｔｗｏｒｋ）への接続を行わせる制御を行う制御部を備える。前記制御部は、ＷＬＡＮ  ＭＡＣ（Ｍｅｄｉａ  Ａｃｃｅｓｓ  Ｃｏｎｔｒｏｌ）アドレスを含む情報を送信させるための要求を前記ユーザ端末に送信し、前記要求の送信に応じて、前記ユーザ端末のＷＬＡＮ  ＭＡＣアドレスを前記ユーザ端末から受信し、前記ＷＬＡＮ  ＭＡＣアドレスを、自セルラ基地局から前記ＷＬＡＮに含まれるＷＬＡＮ装置に送信し、前記ＷＬＡＮにおける前記ユーザ端末の認証のためのＷＬＡＮ認証キーを、自セルラ基地局から前記ＷＬＡＮ装置に送信する。
【０００９】
第２の特徴に係るユーザ端末は、セルラ送受信機及び無線ＬＡＮ送受信機を有しており、前記セルラ送受信機によりセルラ基地局と接続する。前記ユーザ端末は、無線ＬＡＮシステムにおける前記ユーザ端末の識別子である無線ＬＡＮ端末識別子を前記セルラ基地局に送信するよう前記セルラ送受信機を制御する制御部を備える。前記制御部は、前記無線ＬＡＮシステムのアクセスポイントへの接続を要求する第１の接続要求を前記セルラ基地局から前記セルラ送受信機が受信すると、前記無線ＬＡＮ端末識別子を含んだ第２の接続要求を前記アクセスポイントに送信するよう前記無線ＬＡＮ送受信機を制御する。
【００１０】
第３の特徴に係るセルラ基地局は、セルラ送受信機及び無線ＬＡＮ送受信機を有するユーザ端末と接続する。前記セルラ基地局は、無線ＬＡＮシステムにおける前記ユーザ端末の識別子である無線ＬＡＮ端末識別子を前記ユーザ端末から受信する受信部と、前記ユーザ端末と前記セルラ基地局との間で送受信されるトラフィックを前記無線ＬＡＮシステムに移行させるオフロードを行う前において、前記無線ＬＡＮ端末識別子を前記無線ＬＡＮシステムのアクセスポイントに送信する送信部と、を備える。前記無線ＬＡＮ端末識別子は、前記アクセスポイントにおいて前記ユーザ端末の無線認証に使用される。
【００１１】
第４の特徴に係るアクセスポイントは、無線ＬＡＮシステムのアクセスポイントである。前記アクセスポイントは、前記無線ＬＡＮシステムにおけるユーザ端末の識別子である無線ＬＡＮ端末識別子をセルラ基地局から受信する第１の受信部と、前記無線ＬＡＮ端末識別子を含んだ接続要求を前記ユーザ端末から受信する第２の受信部と、前記セルラ基地局から受信した前記無線ＬＡＮ端末識別子と、前記接続要求に含まれる前記無線ＬＡＮ端末識別子と、が一致する場合に、前記ユーザ端末の無線認証を完了するとともに、前記ユーザ端末のネットワーク認証手順を開始する制御部と、を備える。
【００１２】
本発明に係るセルラ基地局、及びアクセスポイントは、セルラ基地局からアクセスポイントへの円滑なオフロードを実現可能とする。
【図面の簡単な説明】
【００１３】
【図１】図１は、第１実施形態及び第２実施形態に係るシステム構成図である。
【図２】図２は、第１実施形態及び第２実施形態に係るＵＥ（ユーザ端末）のブロック図である。
【図３】図３は、第１実施形態及び第２実施形態に係るｅＮＢ（セルラ基地局）のブロック図である。
【図４】図４は、第１実施形態及び第２実施形態に係るＡＰ（アクセスポイント）のブロック図である。
【図５】図５は、ＬＴＥシステムにおける無線インターフェイスのプロトコルスタック図である。
【図６】図６は、第１実施形態及び第２実施形態に係る動作環境を説明するための図である。
【図７】図７は、第１実施形態に係る事前動作を示すシーケンス図である。
【図８】図８は、第１実施形態に係るオフロード動作を示すシーケンス図である。
【図９】図９は、第２実施形態に係る事前動作を示すシーケンス図である。
【図１０】図１０は、第２実施形態に係るオフロード動作を示すシーケンス図である。
【発明を実施するための形態】
【００１４】
［実施形態の概要］
第１実施形態及び第２実施形態に係る通信制御方法は、ユーザ端末とセルラ基地局との間で送受信されるトラフィックを無線ＬＡＮシステムに移行させるオフロードを行うための方法である。前記通信制御方法は、前記ユーザ端末が、前記無線ＬＡＮシステムにおける前記ユーザ端末の識別子である無線ＬＡＮ端末識別子を前記セルラ基地局に送信するステップＡと、前記セルラ基地局が、前記オフロードを行う前において、前記ユーザ端末から受信した前記無線ＬＡＮ端末識別子を前記無線ＬＡＮシステムのアクセスポイントに送信するステップＢと、を有する。前記無線ＬＡＮ端末識別子は、前記アクセスポイントにおいて前記ユーザ端末の無線認証に使用される。
【００１５】
第１実施形態及び第２実施形態では、前記ユーザ端末は、セルラ送受信機及び無線ＬＡＮ送受信機を有している。前記無線ＬＡＮ端末識別子は、前記無線ＬＡＮ送受信機に割り振られているＭＡＣアドレスである。
【００１６】
第１実施形態及び第２実施形態では、前記ステップＡにおいて、前記ユーザ端末は、前記セルラ基地局への接続要求に前記無線ＬＡＮ端末識別子を含めて送信する。
【００１７】
第１実施形態及び第２実施形態では、前記通信制御方法は、前記セルラ基地局が、前記オフロードを行う場合に、前記アクセスポイントへの接続を要求する第１の接続要求を前記ユーザ端末に送信するステップＣと、前記ユーザ端末が、前記第１の接続要求の受信に応じて、前記無線ＬＡＮ端末識別子を含んだ第２の接続要求を前記アクセスポイントに送信するステップＤと、前記アクセスポイントが、前記セルラ基地局から受信した前記無線ＬＡＮ端末識別子と、前記第２の接続要求に含まれる前記無線ＬＡＮ端末識別子と、が一致する場合に、前記無線認証を完了するとともに、前記ユーザ端末のネットワーク認証手順を開始するステップＥと、をさらに有する。
【００１８】
第１実施形態では、前記ネットワーク認証手順において、前記アクセスポイントは、前記ユーザ端末を代理して、ＷＬＡＮ認証サーバへの認証要求を行う。
【００１９】
第１実施形態では、前記ステップＡにおいて、前記ユーザ端末は、前記ＷＬＡＮ認証サーバにより前記ユーザ端末の認証に使用されるネットワーク認証情報を前記セルラ基地局にさらに送信する。前記ステップＢにおいて、前記セルラ基地局は、前記ユーザ端末から受信した前記ネットワーク認証情報を前記アクセスポイントにさらに送信する。前記ネットワーク認証手順において、前記アクセスポイントは、前記ネットワーク認証情報を前記認証要求に含める。
【００２０】
第１実施形態では、前記ネットワーク認証手順において、前記アクセスポイントは、前記セルラ基地局及びセルラ認証サーバ経由で前記ＷＬＡＮ認証サーバに前記認証要求を行う。
【００２１】
第２実施形態では、前記ネットワーク認証手順において、前記アクセスポイントは、前記ユーザ端末を代理して、セルラ認証サーバへの認証要求を行う。
【００２２】
第２実施形態では、前記ステップＢにおいて、前記セルラ基地局は、セルラ通信システムにおける前記ユーザ端末の識別子であるセルラ端末識別子を前記アクセスポイントにさらに送信する。前記ネットワーク認証手順において、前記アクセスポイントは、前記セルラ端末識別子を前記認証要求に含める。
【００２３】
第２実施形態では、前記ネットワーク認証手順において、前記アクセスポイントは、ＷＬＡＮ認証サーバ経由で前記セルラ認証サーバに前記認証要求を行う。
【００２４】
第１実施形態及び第２実施形態に係るユーザ端末は、セルラ送受信機及び無線ＬＡＮ送受信機を有しており、前記セルラ送受信機によりセルラ基地局と接続する。前記ユーザ端末は、無線ＬＡＮシステムにおける前記ユーザ端末の識別子である無線ＬＡＮ端末識別子を前記セルラ基地局に送信するよう前記セルラ送受信機を制御する制御部を備える。前記制御部は、前記無線ＬＡＮシステムのアクセスポイントへの接続を要求する第１の接続要求を前記セルラ基地局から前記セルラ送受信機が受信すると、前記無線ＬＡＮ端末識別子を含んだ第２の接続要求を前記アクセスポイントに送信するよう前記無線ＬＡＮ送受信機を制御する。
【００２５】
第１実施形態及び第２実施形態に係るセルラ基地局は、セルラ送受信機及び無線ＬＡＮ送受信機を有するユーザ端末と接続する。前記セルラ基地局は、無線ＬＡＮシステムにおける前記ユーザ端末の識別子である無線ＬＡＮ端末識別子を前記ユーザ端末から受信する受信部と、前記ユーザ端末と前記セルラ基地局との間で送受信されるトラフィックを前記無線ＬＡＮシステムに移行させるオフロードを行う前において、前記無線ＬＡＮ端末識別子を前記無線ＬＡＮシステムのアクセスポイントに送信する送信部と、を備える。前記無線ＬＡＮ端末識別子は、前記アクセスポイントにおいて前記ユーザ端末の無線認証に使用される。
【００２６】
第１実施形態及び第２実施形態に係るアクセスポイントは、無線ＬＡＮシステムのアクセスポイントである。前記アクセスポイントは、前記無線ＬＡＮシステムにおけるユーザ端末の識別子である無線ＬＡＮ端末識別子をセルラ基地局から受信する第１の受信部と、前記無線ＬＡＮ端末識別子を含んだ接続要求を前記ユーザ端末から受信する第２の受信部と、前記セルラ基地局から受信した前記無線ＬＡＮ端末識別子と、前記接続要求に含まれる前記無線ＬＡＮ端末識別子と、が一致する場合に、前記ユーザ端末の無線認証を完了するとともに、前記ユーザ端末のネットワーク認証手順を開始する制御部と、を備える。
【００２７】
［第１実施形態］
以下、図面を参照して、３ＧＰＰ規格に準拠して構成されるセルラ通信システム（ＬＴＥシステム）を無線ＬＡＮ（ＷＬＡＮ）システムと連携させる場合の各実施形態を説明する。
【００２８】
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は、無線アクセスネットワークに相当する。ＥＰＣ２０は、コアネットワークに相当する。
【００２９】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３０】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００３１】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。
【００３２】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３３】
ＷＬＡＮシステムは、ＷＬＡＮ  ＡＰ（以下、「ＡＰ」と称する）３００を含む。ＷＬＡＮシステムは、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。
【００３４】
尚、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００３５】
ＥＰＣ２０は、セルラ通信システムにおいてＵＥ１００のネットワーク認証を行うセルラ認証サーバ６００と、ＷＬＡＮシステムにおいてＵＥ１００のネットワーク認証を行うＷＬＡＮ認証サーバ７００と、をさらに含む。ＵＥ１００は、セルラ認証サーバ６００によるネットワーク認証に成功すると、セルラ通信システムに接続可能になる。また、ＵＥ１００は、ＷＬＡＮ認証サーバ７００によるネットワーク認証に成功すると、ＷＬＡＮシステムに接続可能になる。
【００３６】
次に、ＵＥ１００、ｅＮＢ２００、及びＡＰ３００の構成を説明する。
【００３７】
図２は、ＵＥ１００のブロック図である。図２に示すように、ＵＥ１００は、アンテナ１０１及び１０２と、セルラ送受信機１１１と、ＷＬＡＮ送受信機１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００３８】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００３９】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００４０】
ＷＬＡＮ送受信機１１２には、ＷＬＡＮシステムにおけるＵＥ１００の識別子として、ＭＡＣアドレス（以下、「ＷＬＡＮ  ＭＡＣ−ＩＤ」という）が割り振られている。ＷＬＡＮ送受信機１１２が送受信するＷＬＡＮ無線信号には、ＷＬＡＮ  ＭＡＣ−ＩＤが含まれている。
【００４１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４２】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４３】
図３は、ｅＮＢ２００のブロック図である。図３に示すように、ｅＮＢ２００は、アンテナ２０１と、セルラ送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）を、制御部を構成するプロセッサとしてもよい。
【００４４】
アンテナ２０１及びセルラ送受信機２１０は、セルラ無線信号の送受信に用いられる。セルラ送受信機２１０は、プロセッサ２４０が出力するベースバンド信号をセルラ無線信号に変換してアンテナ２０１から送信する。また、セルラ送受信機２１０は、アンテナ２０１が受信するセルラ無線信号をベースバンド信号に変換してプロセッサ２４０に出力する。
【００４５】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００４６】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４７】
図４は、ＡＰ３００のブロック図である。図４に示すように、ＡＰ３００は、アンテナ３０１と、ＷＬＡＮ送受信機３１１と、ネットワークインターフェイス３２０と、メモリ３３０と、プロセッサ３４０と、を有する。なお、メモリ３３０をプロセッサ３４０と一体化し、このセット（すなわち、チップセット）を、制御部を構成するプロセッサとしてもよい。
【００４８】
アンテナ３０１及びＷＬＡＮ送受信機３１１は、ＷＬＡＮ無線信号の送受信に用いられる。ＷＬＡＮ送受信機３１１は、プロセッサ３４０が出力するベースバンド信号をＷＬＡＮ無線信号に変換してアンテナ３０１から送信する。また、ＷＬＡＮ送受信機３１１は、アンテナ３０１が受信するＷＬＡＮ無線信号をベースバンド信号に変換してプロセッサ３４０に出力する。
【００４９】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００５０】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００５１】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５２】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５３】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００５４】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５５】
ＰＤＣＰレイヤは、ヘッダ圧縮・伸張、及び暗号化・復号化を行う。
【００５６】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００５７】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５８】
（第１実施形態に係る動作）
次に、第１実施形態に係る動作について説明する。
【００５９】
（１）動作環境
図６は、第１実施形態に係る動作環境を説明するための図である。図６に示すように、ｅＮＢ２００のカバレッジ内に複数のＡＰ３００が設けられている。複数のＡＰ３００のそれぞれは、オペレータにより管理されるＡＰ（Ｏｐｅｒａｔｏｒ  ｃｏｎｔｒｏｌｌｅｄ  ＡＰ）である。
【００６０】
また、ｅＮＢ２００のカバレッジ内に複数のＵＥ１００が位置している。ＵＥ１００−１乃至ＵＥ１００−３は、ｅＮＢ２００と接続しており、ｅＮＢ２００とのセルラ通信を行っている。ＵＥ１００−４はＡＰ３００−３に接続しており、ＡＰ３００−３とのＷＬＡＮ通信を行っている。
【００６１】
ｅＮＢ２００が多数のＵＥ１００を収容する場合、ｅＮＢ２００の負荷レベルが高くなる。ここで負荷レベルとは、ｅＮＢ２００のトラフィック負荷又はｅＮＢ２００の無線リソース使用率など、ｅＮＢ２００の混雑度を意味する。よって、ＵＥ１００とｅＮＢ２００との間で送受信されるトラフィックの少なくとも一部をＷＬＡＮシステムに移行させることにより、ｅＮＢ２００のトラフィック負荷をＷＬＡＮシステムに分散できる。
【００６２】
以下において、ＵＥ１００とｅＮＢ２００との間で送受信されるトラフィックをＷＬＡＮシステムに移行（以下、「オフロード」という）させるための動作を説明する。ここでオフロードとは、ＵＥ１００とｅＮＢ２００との間で送受信されるトラフィックの全てをＷＬＡＮシステムに移行させる場合に限らず、ＵＥ１００とｅＮＢ２００との接続を維持しながら少なくとも一部のトラフィックをＷＬＡＮシステムに移行させる場合も含む。
【００６３】
（２）事前動作
図７は、第１実施形態に係る事前動作を示すシーケンス図である。ここで事前動作とは、オフロードが開始されるよりも前の時点において行われる動作である。図７において、ＡＰ３００はｅＮＢ２００のカバレッジのＡＰ３００である。図７の初期状態において、ＵＥ１００は、ｅＮＢ２００及びＡＰ３００の何れとも接続していない。
【００６４】
図７に示すように、ステップＳ１０１において、ＵＥ１００のプロセッサ１６０は、ｅＮＢ２００への接続を要求する接続要求を、セルラ送受信機１１１からｅＮＢ２００に送信する。接続要求は、セルラ通信システムにおける認証に使用される情報（ＬＴＥ情報）に加えて、ＷＬＡＮシステムにおける認証に使用される情報（ＷＬＡＮ情報）を含む。ＬＴＥ情報は、セルラ通信システムにおけるＵＥ１００の識別子（以下、「ＵＥ  ＩＤ」という）と、セルラ通信システムにおけるＵＥ１００のネットワーク認証情報（認証キー）と、を含む。ＷＬＡＮ情報は、ＷＬＡＮ  ＭＡＣ−ＩＤと、ＷＬＡＮシステムにおけるＵＥ１００のネットワーク認証情報（認証キー）と、を含む。ｅＮＢ２００のセルラ送受信機２１０は、ＵＥ１００からの接続要求を受信する。
【００６５】
ステップＳ１０２において、ｅＮＢ２００のプロセッサ２４０は、セルラ送受信機２１０が受信した接続要求に含まれるＷＬＡＮ情報をメモリ２３０に格納（登録）する。
【００６６】
ステップＳ１０３において、ｅＮＢ２００のプロセッサ２４０は、セルラ送受信機２１０が受信した接続要求に含まれるＬＴＥ情報を、ネットワークインターフェイス２２０からセルラ認証サーバ６００に送信する。セルラ認証サーバ６００は、ｅＮＢ２００からのＬＴＥ情報を受信する。
【００６７】
ステップＳ１０４において、セルラ認証サーバ６００は、ｅＮＢ２００からのＬＴＥ情報に基づいて、ＵＥ１００のネットワーク認証を行う。ここでは、認証に成功し、セルラ認証サーバ６００がＵＥ１００とｅＮＢ２００との接続を許可したと仮定して説明を進める。
【００６８】
ステップＳ１０５において、セルラ認証サーバ６００は、接続の許可を示す接続許可をｅＮＢ２００に送信する。ｅＮＢ２００のネットワークインターフェイス２２０は、接続許可を受信する。
【００６９】
ステップＳ１０６において、ｅＮＢ２００のプロセッサ２４０は、ネットワークインターフェイス２２０が受信した接続許可を、セルラ送受信機２１０からＵＥ１００に送信する。ＵＥ１００のセルラ送受信機１１１は、ｅＮＢ２００から接続許可を受信する。ＵＥ１００のプロセッサ１６０は、セルラ送受信機１１１が受信した接続許可に応じて、ｅＮＢ２００との接続（ＲＲＣ接続）を確立する。
【００７０】
ステップＳ１０７において、ｅＮＢ２００のプロセッサ２４０は、メモリ２３０に格納されているＵＥ１００のＷＬＡＮ情報（ＷＬＡＮ  ＭＡＣ−ＩＤを含む）を、ネットワークインターフェイス２２０からＡＰ３００に送信する。ＡＰ３００のネットワークインターフェイス３２０は、ｅＮＢ２００からのＷＬＡＮ情報を受信する。
【００７１】
ステップＳ１０８において、ＡＰ３００のプロセッサ３４０は、ネットワークインターフェイス３２０が受信したＷＬＡＮ情報をメモリ３３０に格納（登録）する。尚、ＡＰ３００のプロセッサ３４０は、ｅＮＢ２００から受信したＷＬＡＮ情報を認証要求リストとして管理する。
【００７２】
（３）オフロード動作
図８は、第１実施形態に係るオフロード動作を示すシーケンス図である。
【００７３】
図８に示すように、ステップＳ１５１において、ＵＥ１００は、ｅＮＢ２００との接続を確立した状態（接続状態）にある。
【００７４】
ステップＳ１５２において、ｅＮＢ２００のプロセッサ２４０は、ＷＬＡＮシステム（ＡＰ３００）への接続を要求するＷＬＡＮ接続要求（第１の接続要求）を、セルラ送受信機２１０からＵＥ１００に送信する。ＷＬＡＮ接続要求（第１の接続要求）は、ＵＥ１００が接続すべきＡＰ３００に関する情報（ＡＰ識別子など）を含んでもよい。ＵＥ１００のセルラ送受信機１１１は、ｅＮＢ２００からＷＬＡＮ接続要求（第１の接続要求）を受信する。
【００７５】
ステップＳ１５３において、ＵＥ１００のプロセッサ１６０は、セルラ送受信機１１１が受信したＷＬＡＮ接続要求（第１の接続要求）に応じて、ＡＰ３００との接続を要求するＷＬＡＮ接続要求（第２の接続要求）を、ＷＬＡＮ送受信機１１２からＡＰ３００に送信する。ＷＬＡＮ接続要求（第２の接続要求）は、ＷＬＡＮ  ＭＡＣ−ＩＤを含む。ＡＰ３００のＷＬＡＮ送受信機３１１は、ＵＥ１００からのＷＬＡＮ接続要求（第２の接続要求）を受信する。
【００７６】
ステップＳ１５４において、ＡＰ３００のプロセッサ３４０は、ＷＬＡＮ送受信機３１１が受信したＷＬＡＮ接続要求（第２の接続要求）に含まれるＷＬＡＮ  ＭＡＣ−ＩＤが、メモリ３３０に格納されている認証要求リストに含まれるＷＬＡＮ  ＭＡＣ−ＩＤと一致するか否かを確認する。各ＷＬＡＮ  ＭＡＣ−ＩＤが一致する場合、プロセッサ３４０は、ＵＥ１００がｅＮＢ２００からのオフロードに係るＵＥ１００であることを認識する。また、各ＷＬＡＮ  ＭＡＣ−ＩＤが一致する場合、プロセッサ３４０は、ＵＥ１００の無線認証を完了し、無線レベルでのＵＥ１００の接続を許可するとともに、ネットワーク認証手順を開始する。ここでは、各ＷＬＡＮ  ＭＡＣ−ＩＤが一致すると仮定して、説明を進める。
【００７７】
ステップＳ１５５において、ＡＰ３００のプロセッサ３４０は、ＵＥ１００を代理して行う認証要求である代理認証要求を、ネットワークインターフェイス３２０からｅＮＢ２００に送信する。代理認証要求は、ステップＳ１５４で一致したＷＬＡＮ  ＭＡＣ−ＩＤに対応するＷＬＡＮ情報を含む。ｅＮＢ２００のネットワークインターフェイス２２０は、ＡＰ３００からの代理認証要求を受信する。
【００７８】
ステップＳ１５６において、ｅＮＢ２００のプロセッサ２４０は、ネットワークインターフェイス２２０が受信した代理認証要求にＵＥ１００のＵＥ  ＩＤを追加し、ＵＥ  ＩＤを追加した代理認証要求を、ネットワークインターフェイス２２０からセルラ認証サーバ６００に送信する。セルラ認証サーバ６００は、ｅＮＢ２００からの代理認証要求を受信する。
【００７９】
ステップＳ１５７において、セルラ認証サーバ６００は、ｅＮＢ２００からの代理認証要求をＷＬＡＮ認証サーバ７００に転送する。言い換えると、セルラ認証サーバ６００は、ＷＬＡＮ認証サーバ７００に対して、ＵＥ１００の代わりに認証要求（代理認証要求）を送出する。
【００８０】
ステップＳ１５８において、ＷＬＡＮ認証サーバ７００は、セルラ認証サーバ６００からの代理認証要求に基づいて、ＵＥ１００の認証（ネットワーク認証）を行う。ＷＬＡＮ認証サーバ７００は、代理認証要求に含まれるネットワーク認証情報（認証キー）により、ＵＥ１００の正当性を確認した場合に、認証成功とする。ここでは、ＷＬＡＮ認証サーバ７００での認証に成功したと仮定して、説明を進める。
【００８１】
ステップＳ１５９において、ＷＬＡＮ認証サーバ７００は、認証結果（ネットワーク認証の成功を示す認証許可）をセルラ認証サーバ６００に送信する。認証許可は、ＵＥ  ＩＤ及びＷＬＡＮ  ＭＡＣ−ＩＤを含む。セルラ認証サーバ６００は、ＷＬＡＮ認証サーバ７００からの認証許可を受信する。
【００８２】
ステップＳ１６０において、セルラ認証サーバ６００は、ＷＬＡＮ認証サーバ７００からの認証許可をｅＮＢ２００に転送する。ｅＮＢ２００のネットワークインターフェイス２２０は、セルラ認証サーバ６００からの認証許可を受信する。
【００８３】
ステップＳ１６１において、ｅＮＢ２００のプロセッサ２４０は、ネットワークインターフェイス２２０が受信した認証許可に応じて、ＷＬＡＮ  ＭＡＣ−ＩＤを含んだ認証許可を、ネットワークインターフェイス２２０からＡＰ３００に送信する。ＡＰ３００のネットワークインターフェイス３２０は、ｅＮＢ２００からの認証許可を受信する。
【００８４】
ステップＳ１６２において、ＡＰ３００のプロセッサ３４０は、ＡＰ３００との接続を許可するＷＬＡＮ接続許可を、ＷＬＡＮ送受信機３１１からＵＥ１００に送信する。ＷＬＡＮ接続許可は、ＷＬＡＮ  ＭＡＣ−ＩＤを含む。ＷＬＡＮ接続許可は、オフロードするトラフィックを指定する情報（ベアラ識別情報など）をさらに含んでもよい。ＵＥ１００のＷＬＡＮ送受信機１１２は、ＡＰ３００からのＷＬＡＮ接続許可を受信する。
【００８５】
ステップＳ１６３において、ｅＮＢ２００のプロセッサ２４０は、オフロードに係るトラフィックのうちＵＥ１００に未送信のもの（未送信データ）を、ネットワークインターフェイス２２０からＡＰ３００に送信する。
【００８６】
ステップＳ１６４において、ＵＥ１００のプロセッサ１６０は、ＷＬＡＮ送受信機１１２が受信したＷＬＡＮ接続許可に応じて、ＡＰ３００との接続を確立し、オフロードに係るトラフィックをＡＰ３００と送受信する。
【００８７】
（４）まとめ
ＵＥ１００は、ＷＬＡＮ  ＭＡＣ−ＩＤを接続要求に含めてｅＮＢ２００に送信する。ｅＮＢ２００は、オフロードを行う前において、ＵＥ１００から受信したＷＬＡＮ  ＭＡＣ−ＩＤをＷＬＡＮシステムのＡＰ３００に送信する。ＷＬＡＮ  ＭＡＣ−ＩＤは、ＡＰ３００においてＵＥ１００の無線認証に使用される。これにより、オフロードを行った際に、ＵＥ１００とＡＰ３００との間の無線認証を速やかに完了することができる。
【００８８】
ｅＮＢ２００は、オフロードを行う場合に、ＡＰ３００への接続を要求する第１の接続要求をＵＥ１００に送信する。ＵＥ１００は、第１の接続要求の受信に応じて、ＷＬＡＮ  ＭＡＣ−ＩＤを含んだ第２の接続要求をＡＰ３００に送信する。ＡＰ３００は、ｅＮＢ２００から受信したＷＬＡＮ  ＭＡＣ−ＩＤと、第２の接続要求に含まれるＷＬＡＮ  ＭＡＣ−ＩＤと、が一致する場合に、無線認証を完了するとともに、ＵＥ１００のネットワーク認証手順を開始する。これにより、ＵＥ１００とＡＰ３００との間の無線認証を速やかに完了してネットワーク認証手順を開始することができる。
【００８９】
第１実施形態では、ネットワーク認証手順において、ＡＰ３００は、ＵＥ１００を代理して、ＷＬＡＮ認証サーバ７００への認証要求を行う。これにより、ＵＥ１００がＡＰ３００に接続する際に、ＵＥ１００から認証要求を行う必要がないため、ネットワーク認証手順を速やかに開始することができる。
【００９０】
第１実施形態では、ＵＥ１００は、ｅＮＢ２００との接続時に、ＷＬＡＮ認証サーバ７００によりＵＥ１００の認証に使用されるネットワーク認証情報をｅＮＢ２００に送信する。ｅＮＢ２００は、オフロードを行う前において、ＵＥ１００から受信したネットワーク認証情報をＡＰ３００に送信する。そして、ネットワーク認証手順において、ＡＰ３００は、ネットワーク認証情報を認証要求に含める。これにより、ＵＥ１００がＡＰ３００に接続する際に、ＵＥ１００からネットワーク認証情報を送信する必要がない。ネットワーク認証情報についてはＵＥ１００のユーザが手動で入力することが一般的であり、そのような手動入力を省略可能とすることにより、ネットワーク認証手順を速やかに開始できるだけでなく、ユーザの利便性も向上させることができる。
【００９１】
第１実施形態では、ネットワーク認証手順において、ＡＰ３００は、ｅＮＢ２００及びセルラ認証サーバ６００経由でＷＬＡＮ認証サーバ７００に認証要求を行う。これにより、セルラ認証サーバ６００経由でＵＥ１００を代理してＷＬＡＮ認証サーバ７００に認証を要求することができる。
【００９２】
［第２実施形態］
第２実施形態について、第１実施形態との相違点を主として説明する。第２実施形態に係るシステム構成及び動作環境は第１実施形態と同様であるが、第２実施形態に係る事前動作及びオフロード動作は第１実施形態と一部異なる。
【００９３】
（１）事前動作
図９は、第２実施形態に係る事前動作を示すシーケンス図である。
【００９４】
図９に示すように、ステップＳ２０１において、ＵＥ１００のプロセッサ１６０は、ｅＮＢ２００への接続を要求する接続要求を、セルラ送受信機１１１からｅＮＢ２００に送信する。接続要求は、セルラ通信システムにおける認証に使用される情報（ＬＴＥ情報）に加えて、ＷＬＡＮシステムにおける認証に使用される情報（ＷＬＡＮ情報）を含む。ＬＴＥ情報は、ＵＥ  ＩＤと、セルラ通信システムにおけるＵＥ１００のネットワーク認証情報（認証キー）と、を含む。ＷＬＡＮ情報は、ＷＬＡＮ  ＭＡＣ−ＩＤを含む。ｅＮＢ２００のセルラ送受信機２１０は、ＵＥ１００からの接続要求を受信する。
【００９５】
ステップＳ２０２において、ｅＮＢ２００のプロセッサ２４０は、セルラ送受信機２１０が受信した接続要求に含まれるＷＬＡＮ情報をメモリ２３０に格納（登録）する。
【００９６】
ステップＳ２０３において、ｅＮＢ２００のプロセッサ２４０は、セルラ送受信機２１０が受信した接続要求に含まれるＬＴＥ情報を、ネットワークインターフェイス２２０からセルラ認証サーバ６００に送信する。セルラ認証サーバ６００は、ｅＮＢ２００からのＬＴＥ情報を受信する。
【００９７】
ステップＳ２０４において、セルラ認証サーバ６００は、ｅＮＢ２００からのＬＴＥ情報に基づいて、ＵＥ１００のネットワーク認証を行う。ここでは、認証に成功し、セルラ認証サーバ６００がＵＥ１００とｅＮＢ２００との接続を許可したと仮定して説明を進める。
【００９８】
ステップＳ２０５において、セルラ認証サーバ６００は、接続の許可を示す接続許可をｅＮＢ２００に送信する。ｅＮＢ２００のネットワークインターフェイス２２０は、接続許可を受信する。
【００９９】
ステップＳ２０６において、ｅＮＢ２００のプロセッサ２４０は、ネットワークインターフェイス２２０が受信した接続許可を、セルラ送受信機２１０からＵＥ１００に送信する。ＵＥ１００のセルラ送受信機１１１は、ｅＮＢ２００から接続許可を受信する。ＵＥ１００のプロセッサ１６０は、セルラ送受信機１１１が受信した接続許可に応じて、ｅＮＢ２００との接続（ＲＲＣ接続）を確立する。
【０１００】
ステップＳ２０７において、ｅＮＢ２００のプロセッサ２４０は、メモリ２３０に格納されているＵＥ１００のＷＬＡＮ情報（ＷＬＡＮ  ＭＡＣ−ＩＤ）と、ＵＥ１００のＵＥ  ＩＤとを、ネットワークインターフェイス２２０からＡＰ３００に送信する。ＡＰ３００のネットワークインターフェイス３２０は、ｅＮＢ２００からのＷＬＡＮ情報（ＷＬＡＮ  ＭＡＣ−ＩＤ）及びＵＥ  ＩＤを受信する。
【０１０１】
ステップＳ２０８において、ＡＰ３００のプロセッサ３４０は、ネットワークインターフェイス３２０が受信したＷＬＡＮ情報（ＷＬＡＮ  ＭＡＣ−ＩＤ）及びＵＥ  ＩＤをメモリ３３０に格納（登録）する。尚、ＡＰ３００のプロセッサ３４０は、ｅＮＢ２００から受信したＷＬＡＮ情報（ＷＬＡＮ  ＭＡＣ−ＩＤ）及びＵＥ  ＩＤを認証要求リストとして管理する。
【０１０２】
（２）オフロード動作
図１０は、第２実施形態に係るオフロード動作を示すシーケンス図である。
【０１０３】
図１０に示すように、ステップＳ２５１において、ＵＥ１００は、ｅＮＢ２００との接続を確立した状態（接続状態）にある。
【０１０４】
ステップＳ２５２において、ｅＮＢ２００のプロセッサ２４０は、ＷＬＡＮシステム（ＡＰ３００）への接続を要求するＷＬＡＮ接続要求（第１の接続要求）を、セルラ送受信機２１０からＵＥ１００に送信する。ＷＬＡＮ接続要求（第１の接続要求）は、ＵＥ１００が接続すべきＡＰ３００に関する情報（ＡＰ識別子など）を含んでもよい。ＵＥ１００のセルラ送受信機１１１は、ｅＮＢ２００からＷＬＡＮ接続要求（第１の接続要求）を受信する。
【０１０５】
ステップＳ２５３において、ＵＥ１００のプロセッサ１６０は、セルラ送受信機１１１が受信したＷＬＡＮ接続要求（第１の接続要求）に応じて、ＡＰ３００との接続を要求するＷＬＡＮ接続要求（第２の接続要求）を、ＷＬＡＮ送受信機１１２からＡＰ３００に送信する。ＷＬＡＮ接続要求（第２の接続要求）は、ＷＬＡＮ  ＭＡＣ−ＩＤを含む。ＡＰ３００のＷＬＡＮ送受信機３１１は、ＵＥ１００からのＷＬＡＮ接続要求（第２の接続要求）を受信する。
【０１０６】
ステップＳ２５４において、ＡＰ３００のプロセッサ３４０は、ＷＬＡＮ送受信機３１１が受信したＷＬＡＮ接続要求（第２の接続要求）に含まれるＷＬＡＮ  ＭＡＣ−ＩＤが、メモリ３３０に格納されている認証要求リストに含まれるＷＬＡＮ  ＭＡＣ−ＩＤと一致するか否かを確認する。各ＷＬＡＮ  ＭＡＣ−ＩＤが一致する場合、プロセッサ３４０は、ＵＥ１００がｅＮＢ２００からのオフロードに係るＵＥ１００であることを認識する。また、各ＷＬＡＮ  ＭＡＣ−ＩＤが一致する場合、プロセッサ３４０は、ＵＥ１００の無線認証を完了し、無線レベルでのＵＥ１００の接続を許可するとともに、ネットワーク認証手順を開始する。ここでは、各ＷＬＡＮ  ＭＡＣ−ＩＤが一致すると仮定して、説明を進める。
【０１０７】
ステップＳ２５５において、ＡＰ３００のプロセッサ３４０は、ＵＥ１００を代理して行う認証要求である代理認証要求を、ネットワークインターフェイス３２０からＡＰ３００に送信する。代理認証要求は、ステップＳ２５４で一致したＷＬＡＮ  ＭＡＣ−ＩＤと、そのＷＬＡＮ  ＭＡＣ−ＩＤに対応するＵＥ  ＩＤと、を含む。ＷＬＡＮ認証サーバ７００は、ＡＰ３００からの代理認証要求を受信する。
【０１０８】
ステップＳ２５６において、ＷＬＡＮ認証サーバ７００は、ＡＰ３００から受信した代理認証要求をセルラ認証サーバ６００に転送する。セルラ認証サーバ６００は、ＷＬＡＮ認証サーバ７００からの代理認証要求を受信する。
【０１０９】
ステップＳ２５７において、セルラ認証サーバ６００は、ＷＬＡＮ認証サーバ７００からの代理認証要求に基づいて、ＵＥ１００のネットワーク認証を行う。例えば、セルラ認証サーバ６００は、ＵＥ  ＩＤにより、ｅＮＢ２００との接続を許可したＵＥ１００（すなわち、オフロードに係るＵＥ１００）であることを確認した場合に、認証成功とする。ここでは、セルラ認証サーバ６００での認証に成功したと仮定して、説明を進める。
【０１１０】
ステップＳ２５８において、セルラ認証サーバ６００は、認証に成功したことに応じて、ネットワーク認証の成功を示す認証許可をＷＬＡＮ認証サーバ７００に送信する。認証許可は、ＵＥ  ＩＤ及びＷＬＡＮ  ＭＡＣ−ＩＤを含む。ＷＬＡＮ認証サーバ７００は、セルラ認証サーバ６００からの認証許可を受信する。
【０１１１】
ステップＳ２５９において、ＷＬＡＮ認証サーバ７００は、セルラ認証サーバ６００からの認証許可をＡＰ３００に転送する。ＡＰ３００のネットワークインターフェイス３２０は、ＷＬＡＮ認証サーバ７００から認証許可を受信する。
【０１１２】
ステップＳ２６０において、ＡＰ３００のプロセッサ３４０は、ネットワークインターフェイス３２０が受信した認証許可に応じて、ＡＰ３００との接続を許可するＷＬＡＮ接続許可を、ＷＬＡＮ送受信機３１１からＵＥ１００に送信する。ＷＬＡＮ接続許可は、ＷＬＡＮ  ＭＡＣ−ＩＤを含む。ＷＬＡＮ接続許可は、オフロードするトラフィックを指定する情報（ベアラ識別情報など）をさらに含んでもよい。ＵＥ１００のＷＬＡＮ送受信機１１２は、ＡＰ３００からのＷＬＡＮ接続許可を受信する。
【０１１３】
ステップＳ２６１において、ｅＮＢ２００のプロセッサ２４０は、オフロードに係るトラフィックのうちＵＥ１００に未送信のもの（未送信データ）を、ネットワークインターフェイス２２０からＡＰ３００に送信する。
【０１１４】
ステップＳ２６２において、ＵＥ１００のプロセッサ１６０は、ＷＬＡＮ送受信機１１２が受信したＷＬＡＮ接続許可に応じて、ＡＰ３００との接続を確立し、オフロードに係るトラフィックをＡＰ３００と送受信する。
【０１１５】
（３）まとめ
このように、第２実施形態では、ネットワーク認証手順において、ＡＰ３００は、ＵＥ１００を代理して、セルラ認証サーバ６００への認証要求を行う。これにより、ＵＥ１００がＡＰ３００に接続する際に、ＵＥ１００から認証要求を行う必要がないため、ネットワーク認証手順を速やかに開始することができる。
【０１１６】
また、第２実施形態では、ｅＮＢ２００は、オフロードを行う前において、セルラ通信システムにおけるＵＥ１００の識別子であるＵＥ  ＩＤ（セルラ端末識別子）をＡＰ３００に送信する。そして、ネットワーク認証手順において、ＡＰ３００は、ＵＥ  ＩＤを認証要求に含める。これにより、ＵＥ１００がＡＰ３００に接続する際に、ＷＬＡＮのネットワーク認証情報に代えてＵＥ  ＩＤを認証に使用することができる。ネットワーク認証情報についてはＵＥ１００のユーザが手動で入力することが一般的であり、そのような手動入力を省略可能とすることにより、ネットワーク認証手順を速やかに開始できるだけでなく、ユーザの利便性も向上させることができる。
【０１１７】
第２実施形態では、ネットワーク認証手順において、ＡＰ３００は、ＷＬＡＮ認証サーバ７００経由でセルラ認証サーバ６００に認証要求を行う。これにより、ＷＬＡＮ認証サーバ７００経由でＵＥ１００を代理してセルラ認証サーバ６００に認証を要求することができる。
【０１１８】
［その他の実施形態］
上述した各実施形態では、ＵＥ１００は、ｅＮＢ２００への接続要求にＷＬＡＮ  ＭＡＣ−ＩＤを含めて送信していた。しかしながら、ＵＥ１００は、ｅＮＢ２００への接続要求とは別に、ＷＬＡＮ  ＭＡＣ−ＩＤをｅＮＢ２００に送信してもよい。例えば、ＵＥ１００は、ｅＮＢ２００との接続を確立した後、ｅＮＢ２００からの要求に応じてＷＬＡＮ  ＭＡＣ−ＩＤをｅＮＢ２００に送信してもよい。
【０１１９】
上述した実施形態では、セルラ通信システムの一例としてＬＴＥシステムを説明したが、ＬＴＥシステムに限定されるものではなく、ＬＴＥシステム以外のシステムに本発明を適用してもよい。
【０１２０】
なお、日本国特許出願第２０１３−０９２１８１号（２０１３年４月２５日出願）の全内容が、参照により、本願明細書に組み込まれている。
【産業上の利用可能性】
【０１２１】
以上のように、本発明に係る通信制御方法、ユーザ端末、セルラ基地局、及びアクセスポイントは、セルラ基地局からアクセスポイントへの円滑なオフロードを実現できるため、移動通信分野において有用である。
【図１】
2017139778.tif 000003
【図２】
2017139778.tif 000004
【図３】
2017139778.tif 000005
【図４】
2017139778.tif 000006
【図５】
2017139778.tif 000007
【図６】
2017139778.tif 000008
【図７】
2017139778.tif 000009
【図８】
2017139778.tif 000010
【図９】
2017139778.tif 000011
【図１０】
2017139778.tif 000012